(57)【要約】      （修正有）【課題】バックライトモジュールの耐衝撃性が改善された液晶ディスプレイ装置のバックライトモジュールを提供する。【解決手段】バックライトモジュール用ハウジングは発光ユニット１０、突起２１を具えた導光板２０、及び選択的に複数の光学板３０を保持するための底部ケーシング４１とサイドフレーム４２を具えている。特に、凹部４２１がサイドフレーム４２に形成されて突起２１，３１を保持し、不均一な幅を具えたスリット４２２が凹部４２１に隣接するように形成されている。【選択図】図１
2006286587.tif 000002
【特許請求の範囲】
【請求項１】
バックライトモジュールにおいて、
光源と反射板を具えて光束を提供する発光ユニットと、
周縁に少なくとも一つの突起を具え発光ユニットに隣接して光束を受け取り反射する導光板と、
ハウジングであって、発光ユニットと導光板を保持するための周縁と少なくとも一つのサイドフレームを具えた底部ケーシングを具え、該サイドフレームが底部ケーシングの周縁に形成され、導光板の突起に対応する凹部が該サイドフレームに形成されて突起を保持し、不均一な幅を具えたスリットが凹部に隣接するように形成された、上記ハウジングと、
を包含することを特徴とする、バックライトモジュール。
【請求項２】
請求項１記載のバックライトモジュールにおいて、スリットの導光板に近い一端の幅がスリットの他端の幅と異なることを特徴とする、バックライトモジュール。
【請求項３】
請求項１記載のバックライトモジュールにおいて、スリットの上部の幅がスリットの下部の幅と異なることを特徴とする、バックライトモジュール。
【請求項４】
請求項１記載のバックライトモジュールにおいて、スリットが凹部と発光ユニットの間に位置することを特徴とする、バックライトモジュール。
【請求項５】
請求項１記載のバックライトモジュールにおいて、スリットの最も狭い幅が導光板と発光ユニットの間の距離より小さいことを特徴とする、バックライトモジュール。
【請求項６】
請求項１記載のバックライトモジュールにおいて、スリットの導光板に近い一端の幅がスリットの他端の幅より小さいことを特徴とする、バックライトモジュール。
【請求項７】
請求項１記載のバックライトモジュールにおいて、スリットの上部の幅がスリットの下部の幅より小さいことを特徴とする、バックライトモジュール。
【請求項８】
請求項１記載のバックライトモジュールにおいて、スリットの深さのスリットの最も狭い幅に対する比率が２０より小さいことを特徴とする、バックライトモジュール。
【請求項９】
請求項１記載のバックライトモジュールにおいて、ハウジングがプラスチック或いは金属で形成されたことを特徴とする、バックライトモジュール。
【請求項１０】
バックライトモジュール用ハウジングにおいて、
周縁を具えた底部ケーシングと、
該底部ケーシング上に形成された少なくとも一つのサイドフレームとを具え、
そのうち、該サイドフレーム上に凹部が形成され、不均一な幅を有するスリットが該凹部に隣接するように形成されたことを特徴とする、バックライトモジュール用ハウジング。
【請求項１１】
請求項１０記載のバックライトモジュール用ハウジングにおいて、凹部が導光板の突起を保持するために使用されることを特徴とする、バックライトモジュール用ハウジング。
【請求項１２】
請求項１０記載のバックライトモジュール用ハウジングにおいて、スリットの導光板に近い一端の幅がスリットの他端の幅と異なることを特徴とする、バックライトモジュール用ハウジング。
【請求項１３】
請求項１０記載のバックライトモジュール用ハウジングにおいて、スリットの導光板に近い一端の幅がスリットの他端の幅より小さいことを特徴とする、バックライトモジュール用ハウジング。
【請求項１４】
請求項１０記載のバックライトモジュール用ハウジングにおいて、スリットの上部の幅がスリットの下部の幅と異なることを特徴とする、バックライトモジュール用ハウジング。
【請求項１５】
請求項１０記載のバックライトモジュール用ハウジングにおいて、スリットの上部の幅がスリットの下部の幅より小さいことを特徴とする、バックライトモジュール用ハウジング。
【請求項１６】
請求項１０記載のバックライトモジュール用ハウジングにおいて、スリットの深さのスリットの最も狭い幅に対する比率が２０より小さいことを特徴とする、バックライトモジュール用ハウジング。
【請求項１７】
請求項１０記載のバックライトモジュール用ハウジングにおいて、ハウジングがプラスチック或いは金属で形成されたことを特徴とする、バックライトモジュール用ハウジング。
【発明の詳細な説明】
【技術分野】
【０００１】
本発明は、液晶ディスプレイのバックライトモジュール、特に、ショックを吸収するかエネルギーを受け入れて導光板のクラックを防止するための凹部を具えたバックライトモジュールに関する。
【背景技術】
【０００２】
通常、精密電気製品は市場に出される前にいくつかの基本検査に合格して消費者受け入れられる程度に製品の品質が保証されなければならない。これはノートブック型コンピュータにも言えることである。ノートブック型コンピュータの各生産者は装置の生産と検査における品質管理の成熟したシステムを有しており、品質管理は完全に行なわれ得る。特に、挟装の激しい市場環境にあっては、生産者は厳しい検査基準の引き上げにより市場での認知を得る必要がある。ゆえに各ノートブック型コンピュータは耐衝撃及び耐圧、スクリーンの起動と停止の寿命、高低の温度環境、電波影響、静電環境、過酷操作、等を含む一組の試験を完全に通る必要がある。これらの試験のうち、衝撃試験はノートブック型コンピュータ内部の耐衝撃性を検査する目的を有する。ノートブック型コンピュータを金属プラットフォームに垂直に落とすことで、衝撃試験はノートブック型コンピュータの耐衝撃能力を試験する。衝撃試験では、ノートブック型コンピュータの本体と液晶ディスプレイ装置の両方の耐衝撃能力が精密に検査される。
【０００３】
ノートブック型コンピュータの試験は早期の段階では、耐衝撃性に対する要求現在の基準よりも低く、このためバックライトモジュールは更なる改良を必要とせずに衝撃試験に通ることができた。しかし、衝撃試験中に導光板による衝撃のために液晶ディスプレイ装置のバックライトモジュールのランプがしばしば破壊されるため、より厳しい標準が開発され、こた。ゆえに、現在の導光板は一対の突起を有するものに変更され、該突起はフレームの対応する凹部に保持され、これにより導光板がランプに与える衝撃が防止されている。ノートブック型コンピュータはますますコンパクト化される傾向にあり、このため液晶ディスプレイ装置もますます薄く製造されなければならない。このため、バックライトモジュールの導光板の厚さもこれに応じて減らされる。同時に、ノートブック型コンピュータの耐衝撃性試験もますます厳しくなっている。結果として、薄型化された導光板はその機械強度が弱くなるため強い衝撃に耐えられなくなり、特に突起の根部にクラックが発生しやすくなる。導光板の不良品率は生産者にとって経済的境界線である。ゆえに、特許文献１には凹部に隣接する緩衝スリットが記載され、これは図３に示されるとおりである。特許文献１によると、ランプはハウジング１００の下に位置し、均一な幅を有するスリット１２０がハウジング１００の凹部１１０の下に形成されてサイドフレームの凹部１１０の周囲の構造強度が弱められ、導光板による衝撃による突起１３０の破壊を防止するための緩衝スペースが形成され、衝撃力はこれにより低減される。しかし、スリット１２０の幅は制限されて導光板とランプの間の距離より少なくして効果的に衝撃を軽減し確実に導光板による衝撃からランプを保護する必要がある。しかし、液晶ディスプレイ装置の体積を減らし光のとり出し効率を強化するためには、導光板とランプの間の距離は非常に短くする必要があり、そのような細いスリットを製造するための型の製作は実施が非常に難しい。たとえ型を上手く製作できたとしても細いスリットの構造強度が弱く、プラスチック射出成形プロセスにあまり多くの回数を耐えることができないため、型の寿命は短く、再度型を製作しなければならず、そのコストは高過ぎる。
【０００４】
ゆえに、上述の問題を軽減或いは無くすことができるバックライトモジュール用ハウジングとそれを使用したバックライトを提供することが望ましい。
【０００５】
【特許文献１】米国特許２００３４３３１２号
【発明の開示】
【発明が解決しようとする課題】
【０００６】
本発明の目的は、バックライトモジュールの耐衝撃性が改善された液晶ディスプレイ装置のバックライトモジュールを提供することにある。該バックライトモジュールの導光板は容易に破壊されない。バックライトモジュールのハウジング及び該ハウジングを形成するための型は製造が容易である。及び型の寿命は延長される。
【０００７】
本発明の別の目的は液晶ディスプレイ装置のバックライトモジュール用ハウジングを提供して導光板に加わる衝撃力を効果的に緩和できるようにすることにある。これによりバックライトモジュールの導光板は破壊防止される。バックライトモジュール用ハウジング及び該ハウジングを形成するための型は簡単に製造可能である。及び型の寿命は延長される。
【課題を解決するための手段】
【０００８】
上述の目的を達成するため、本発明のバックライトモジュールは、光源と反射板を具えて光束を提供する発光ユニットと、周縁に少なくとも一つの突起を具え発光ユニットに隣接して光束を受け取り反射する導光板と、ハウジングであって、発光ユニットと導光板を保持するための周縁と少なくとも一つのサイドフレームを具えた底部ケーシングを具え、該サイドフレームが底部ケーシングの周縁に形成され、導光板の突起に対応する凹部が該サイドフレームに形成されて突起を保持し、不均一な幅を具えたスリットが凹部に隣接するように形成された、上記ハウジングと、を包含する。
【０００９】
上述の目的を達成するため、本発明のバックライトモジュール用ハウジングは、周縁を具えた底部ケーシングと、該底部ケーシングの周縁に取り付けられた少なくとも一つのサイドフレームと、を具えている。とくに、凹部が該サイドフレームに形成され、不均一な幅を有するスリットが凹部に隣接するように形成される。
【００１０】
本発明のバックライトモジュール用ハウジングのスリットの幅或いは断面形状は特に制限されない。好ましくは、スリットの導光板に近い一端の幅が他端の幅と異なるものとされるか、或いはスリットの上部の幅が下部の幅と異なるものとされる。更に好ましくは、スリットの導光板に近い一端の幅が他端の幅より小さいか、或いはスリットの上部の幅が下部の幅より小さいものとされる。更に、本発明のバックライトモジュール用ハウジングのスリットは好ましくは凹部と発光ユニットの間に配置され、これにより衝撃力を緩和し、スリットの最も狭い幅が導光板と発光ユニットの間の距離より短く、これにより導光板発光ユニットに衝撃を与えるのを防止できるものとされる。本発明のスリットの形状は射出成形が容易な任意の形状とされる。好ましくはスリットの深さのスリットの最も狭い幅に対する比は２０：１より小さいものとされる。更に好ましくは、スリットの断面形状は長方形とされる。好ましくは、本発明のバックライトモジュールは更に導光板に隣接する複数の光学板を具えるものとされるが、但し光束を均一化するための発光ユニットと導光板のアライメントの外部にあるものとされる。更に好ましくは、光学板は拡散板、或いはプリズム板とされる。本発明のバックライトモジュール用ハウジングは伝統的な任意の材料で形成されうる。好ましくは本発明のハウジングはプラスチック或いは金属で形成される。
【００１１】
本発明の他の目的、長所及び新規な特徴は以下に図を参照して詳細に説明される。
【発明の効果】
【００１２】
本発明のハウジングを具えたバックライトモジュールを取り付けた液晶ディスプレイ装置を使用するノートブック型コンピュータに衝撃試験が行なわれる時、凹部とスリットに挟まれた片持梁が一時的に変形し、導光板或いは光学板に働く衝撃力は効果的に軽減される。こうして導光板及び光学板の破壊が防止される。また、スリットは片持梁の変形のための緩衝空間を提供し、導光板と光学板の光源に対する衝撃が効果的にブロックされる。更に、本発明のスリットは簡単に形成でき、型の細部の調整が可能である。結果的に型が耐久構造を有し、ゆえにその寿命が延長される。
【発明を実施するための最良の形態】
【００１３】
実施例１
図１は本発明のバックライトモジュールの分解斜視図である。本発明のバックライトモジュールは発光ユニット１０、導光板２０、複数の光学板３０、及びハウジング４０を具えている。該発光ユニット１０は反射板１１と光源１２で構成されている。該光源１２は光束を発射し、該光束は反射板１１に反射されて導光板２０に進入する。該導光板２０及び光学板３０は光線を均一化して液晶パネルに均一な平面光束を提供する。更に、光学板３０は、例えば、拡散板、或いはプリズム板を包含する。導光板２０及び光学板３０はそれぞれ一対の突起２１及び３１をその側端に有し、該突起２１、３１は発光ユニット１０に対して垂直である。更に、ハウジング４０は底部ケーシング４１とサイドフレーム４２で構成されて発光ユニット１０、導光板２０、及び光学板３０を保持する。また、サイドフレーム４２は底部ケーシング４１の周縁に形成される。さらに、凹部４２１がサイドフレーム４２に形成されて突起２１、３１を保持する。特に、不均一な幅を具えたスリット４２２が凹部４２１に隣接するように形成される。スリット４２２は各種設計が可能である。本実施例では、スリット４２２は内側により長い幅Ａを具え、これは図２ａに示されるとおりである。ゆえに、使用される型は例えば幅Ａを具えた六面体から形成されうる。その後、六面体の根部が処理されて幅Ｂを具えるものとされ、そのプロセス方法は放電加工或いは研磨加工とされ得て、該型は細いスリットよりも強い構造強度を有するためその寿命が延長される。それに加え、幅Ｂが導光板２０と発光ユニット１０の間の距離より小さい限り、導光板の光源に対する衝撃を防止できる。
【００１４】
実施例２
図２ｂに示されるように、本実施例の構築は実施例１と非常に類似しているが、スリット４２３の下部ほど幅が広くなっている。これにより使用される型は、例えば幅Ｃを具えた六面体より形成される。その後、六面体の上部が幅Ｄを有するように加工され、両方の肩部がその後切除される。また、その加工方法は放電加工或いは研磨加工とされる。ゆえに、型の製造工程が複雑でなく、型が細いスリットよりも強い構造強度を有するために型の寿命が延長される。それに加え、幅Ｄが導光板２０と発光ユニット１０の間の距離より小さい限り、導光板の光源に対する衝撃を防止できる。
【００１５】
実施例３
図２ｃに示されるように、本実施例の構築は実施例１と非常に類似しているが、スリット４２４の下部の幅が上部の幅より広くなっている。これにより使用される型は、例えば幅Ｅを具えた六面体より形成される。その後、六面体の上部が幅Ｆを有するように加工される。また、その加工方法は放電加工或いは研磨加工とされる。ゆえに、型の製造工程が複雑でなく、型が細いスリットよりも強い構造強度を有するために型の寿命が延長される。それに加え、幅Ｆが導光板２０と発光ユニット１０の間の距離より小さい限り、導光板の光源に対する衝撃を防止できる。
【００１６】
本発明のハウジングを具えたバックライトモジュールを取り付けた液晶ディスプレイ装置を使用するノートブック型コンピュータに衝撃試験が行なわれる時、凹部４２１とスリット４２２、４２３又は４２４に挟まれた片持梁が一時的に変形し、導光板或いは光学板に働く衝撃力は効果的に軽減される。こうして導光板及び光学板の破壊が防止される。また、スリット４２２、４２３、或いは４２４は片持梁の変形のための緩衝空間を提供し、導光板と光学板の光源に対する衝撃が効果的にブロックされる。更に、本発明のスリット４２２、４２３、或いは４２４は簡単に形成でき、型の細部の調整が可能である。結果的に型が耐久構造を有し、ゆえにその寿命が延長される。
【００１７】
本発明はその好ましい実施例の関係において説明されるが、本発明の特許請求の範囲に記載された精神及び範囲から逸脱せずに他の多くの修飾及び変化が可能であることは理解されるべきである。
【図面の簡単な説明】
【００１８】
【図１】本発明のバックライトモジュールの分解斜視図である。
【図２ａ】本発明のサイドフレームの好ましい実施例の斜視図である。
【図２ｂ】本発明のサイドフレームの好ましい実施例の斜視図である。
【図２ｃ】本発明のサイドフレームの好ましい実施例の斜視図である。
【図３】周知の技術のサイドフレームの断面図である。
【符号の説明】
【００１９】
１０  発光ユニット
１１  反射板
１２  光源
２０  導光板
２１  突起
３０  光学板
３１  突起
４０  ハウジング
４１  底部ケーシング
４２  サイドフレーム
４２１  凹部
４２２  スリット
４２３  スリット
４２４  スリット
Ａ  幅
Ｂ  幅
Ｃ  幅
Ｄ  幅
Ｅ  幅
Ｆ  幅
１００  ハウジング
１１０  凹部
１２０  スリット
１３０  突起
【図１】
2006286587.tif 000003
【図２ａ】
2006286587.tif 000004
【図２ｂ】
2006286587.tif 000005
【図２ｃ】
2006286587.tif 000006
【図３】
2006286587.tif 000007
【外国語明細書】
2006286587.tif 000008
2006286587.tif 000009
2006286587.tif 000010
2006286587.tif 000011
2006286587.tif 000012
2006286587.tif 000013
2006286587.tif 000014
2006286587.tif 000015
2006286587.tif 000016
2006286587.tif 000017
2006286587.tif 000018
2006286587.tif 000019
2006286587.tif 000020
2006286587.tif 000021